(57)【要約】      （修正有）【課題】薄くて軽量で設置場所の制約を受けず、而も表示シートの交換も簡単迅速に行うことができるディスプレイ装置を提供する。【解決手段】ケース３の側部に固定する複数のＬＥＤ５と、前記ＬＥＤ５から発生する光を側面から入射し、前記ケース３の底面に配設された反射シート８による反射によって上部に出射する導光板７と、前記ケース３の上部開口の周縁部に取着する磁石１０とをもってディスプレイ本体２とする。周縁部に前記ディスプレイ本体２における磁石１０に吸着する磁性体１６を配設した、前記ディスプレイ本体２と同形、同大の透明な挟着シート１５を磁石１０、の磁力によってディスプレイ本体２に吸着させる。前記ディスプレイ本体２と前記挟着シート１５との間に透明又は半透明の表示シート１７を挟持する。【選択図】図３
0003144355.tif 000002
【実用新案登録請求の範囲】
【請求項１】
ケースの側部に固定する複数のＬＥＤと、前記ＬＥＤから発生する光を側面から入射し、適宜の反射手段によって上部に出射する導光板と、前記ケースの上部開口の周縁部に取着する磁石とからなるディスプレイ本体と、周縁部に前記ディスプレイ本体における磁石に吸着する磁性体を配設した、前記ディスプレイ本体と同形、同大の透明な挟着シートと、前記ディスプレイ本体と前記挟着シートとの間に挟持する透明又は半透明の表示シートとからなることを特徴とするディスプレイ装置。
【請求項２】
複数のＬＥＤを一枚の基板に所定の間隔で配置し、該基板をケースの側部に着脱自在に取り付けてなる請求項１記載のディスプレイ装置。
【請求項３】
ディスプレイ本体に適宜の壁面設置手段を備えてなる請求項１又は２記載のディスプレイ装置。
【考案の詳細な説明】
【技術分野】
【０００１】
本考案は主にポスター等の広告表示を行うディスプレイ装置に関するものである。
【背景技術】
【０００２】
従来のポスター等の広告表示を行う電光式のディスプレイ装置は、ケースの底部に蛍光灯を配設し、該蛍光灯による光をもってケースの開口部に固定した表示シートを裏面から照射するものであった。
【０００３】
斯かる従来のディスプレイ装置は、このようにケースの内部に蛍光灯が配設されていることから、ケースの厚味が相当なものになると共に全体の重量も相当なものになり、設置場所に制約を受けるという問題点があった。
【０００４】
また、広告文字等を印刷によって表示した透明又は半透明の表示シートは、ケースの開口部に接着剤や両面粘着テープ、或いは前面枠による挟持によって固定するものであるから、交換するときにおいて、接着剤や両面粘着テープによる場合には表示シートの引き剥がしに手間取り、また前面枠による挟持の場合には一々ビスを抜いて該前面枠を取り外さなければならず、迅速にこれを行うことができない。
【０００５】
これらのことから、薄くて軽量で設置場所の制約を受けず、而も表示シートの交換も簡単迅速に行うことができる電光式のディスプレイ装置の出現が要望されているが、未だに提案されておらず、また特許文献にも見当たらない。
【考案の開示】
【考案が解決しようとする課題】
【０００６】
本考案は上記の点に鑑みなされたものであって、薄くて軽量で設置場所の制約を受けず、而も表示シートの交換も簡単迅速に行うことができ、加えて従来の光源として蛍光灯を用いるディスプレイに比して消費電力が少なく且つ長寿命であるディスプレイ装置を提供しようとするものである。
【課題を解決するための手段】
【０００７】
而して、本考案の要旨とするところは、ケースの側部に固定する複数のＬＥＤと、前記ＬＥＤから発生する光を側面から入射し、適宜の反射手段によって上部に出射する導光板と、前記ケースの上部開口の周縁部に取着する磁石とからなるディスプレイ本体と、周縁部に前記ディスプレイ本体における磁石に吸着する磁性体を配設した、前記ディスプレイ本体と同形、同大の透明な挟着シートと、前記ディスプレイ本体と前記挟着シートとの間に挟持する透明又は半透明の表示シートとからなることを特徴とするディスプレイ装置にある。
【０００８】
また、上記構成において、複数のＬＥＤを一枚の基板に所定の間隔で配置し、該基板をケースの側部に着脱自在に取り付けるようになしてもよい。このようになした場合には、光源として用いる複数のＬＥＤの一部に不発光等の不都合が生じたときにおいては、基板をケースから取り外してそれのみを交換したり、或いは全てのＬＥＤが寿命により光量が半減したときには基板ごと新しいものと交換することができ、光源の交換を簡単に行うことができる。且つまた、光源のみの交換で済み、他の構成部品はそのまま引き続いて使用することができるから、全体を廃棄する無駄を回避することができる。
【０００９】
また、上記構成において、ディスプレイ本体に適宜の壁面設置手段を備えるようになしてもよい。このようになした場合には、壁面に安定して設置することができるものである。
【考案の効果】
【００１０】
本考案は上記の如き構成であり、ケースの側部に固定する光源としてのＬＥＤから発生する光を導光板に側面から入射させ、この入射した光を適宜の反射手段によって導光板の上部に出射させて表示シートを照射するものであるから、従来のケースの内部に蛍光灯を配設するディスプレイ装置に比してはるかに薄く且つ軽量に構成できるものである。したがって、従来のディスプレイ装置にあっては設置することが不可能な場所にも設置することが可能となるものである。
【００１１】
また、広告文字等を印刷する表示シートは、磁石の磁力による吸着作用によってディスプレイ本体の前面開口部に吸着される挟着シートをもってディスプレイ本体との間に挟持するようになしているから、挟着シートをめくるだけで表示シートの交換を行うことができる。したがって、表示シートの交換を従来のディスプレイ装置に比してはるかに簡単迅速に行うことができるものである。
【００１２】
加えて、光源としてＬＥＤを用いるものであるから、従来の光源として蛍光灯を用いるディスプレイに比して消費電力が少なく且つ長寿命である。
【００１３】
また、複数のＬＥＤを一枚の基板に所定の間隔で配置し、該基板をケースの側部に着脱自在に取り付けるようになした場合には、光源として用いる複数のＬＥＤの一部に不発光等の不都合が生じたときにおいては、基板をケースから取り外してそれのみを交換したり、或いは全てのＬＥＤが寿命により光量が半減したときには基板ごと新しいものと交換することができ、光源の交換を簡単に行うことができる。且つまた、光源のみの交換で済み、他の構成部品はそのまま引き続いて使用することができるから、全体を廃棄する無駄を回避することができる。
【００１４】
また、ディスプレイ本体に適宜の壁面設置手段を備えるようになした場合には、壁面に安定して設置することができるものである。
【考案を実施するための最良の形態】
【００１５】
以下、本考案に係るディスプレイ装置を実施するための最良の形態について、図面を参照して説明する。
図１は本考案の第１実施形態に係るディスプレイ装置の正面図、図２はディスプレイ本体の分解斜視図、図３は部分拡大断面図、図４乃至図６は使用方法の説明図である。
【００１６】
図中、１は電光式のディスプレイ装置である。また、該ディスプレイ装置１は、後記ディスプレイ本体と、挟着シートと、表示シートとからなるものである。
【００１７】
２はディスプレイ本体である。また、該ディスプレイ本体２は、方形のケース３における側壁３ａに、後記光源としてのＬＥＤに対応する所定の間隔で、該ＬＥＤが臨む切欠部４、４、４・・・を設け、複数のＬＥＤ５、５、５・・・を所定の間隔で保持する基板６を前記ケース３の側壁３ａ外面に着脱自在に取り付けると共に、前記ケース３内に、前記ＬＥＤ５、５、５・・・から発生する光を側面から入射し、前記ケース３の底面に配設された反射シート８による反射によって上部に出射する導光板７を配設し、更に前記ケース３の上部開口の周縁部に、ケース３に接着して一体化する磁石保持枠９を介して磁石１０、１０、１０・・・を取着してなるものである。尚、後記表示シートの安定性を良くすると共に出し入れする際にスムーズに行えるように、前記磁石１０、１０、１０・・・は、磁石保持枠９の上面に埋め込んで該磁石保持枠９と面一となし、且つまた磁石保持枠９の内側には該磁石保持枠９と同一の厚味を有する透明シート１１を嵌め込んでいる。尚、本実施形態においては、導光板７に側面から入射した光を上部に出射ための手段として、反射シート８による反射を採用しているが、図示はしないが、導光板７の背面に多数のテーパー状の窪みを形成し、該窪みの部分の傾斜面による反射、或いはこれと反射シートとの併用を採用するようになしてもよい。
【００１８】
また、前記ディスプレイ本体２には、その上縁部に壁面設置手段としての吊環１２、１２を取着している。該吊環１２、１２を壁面に固定したフック金具１３、１３に掛けることによってディスプレイ装置１を壁面に設置するものである。尚、１４は前記ＬＥＤ５の電源コードである。
【００１９】
１５は前記ディスプレイ本体２と同形、同大の透明な挟着シートであり、その周縁部には前記ディスプレイ本体２における磁石１０、１０、１０・・・に吸着する磁性体１６を配設している。尚、該磁性体１６としては、スチールの薄板やフェライト粉、鉄粉等の磁性粉体を用いるものである。
【００２０】
１７は前記ディスプレイ本体２と前記挟着シート１５との間に挟持する透明又は半透明の表示シートである。尚、１８は該表示シート１７に印刷によって表示した広告文字と図柄である。
【００２１】
而して、本実施形態においては、図４に示す如く、挟着シート１５をめくって表示シート１７をディスプレイ本体２と該挟着シート１５との間に挟み込み、次に、図５に示す如く、ディスプレイ本体２の吊環１２、１２を壁面に固定したフック金具１３、１３に掛け、最後に図６に示す如く、ＬＥＤの電源コード１４を電気配線に接続するものである。
【００２２】
そして、ＬＥＤ５、５、５・・・から発生する光を導光板７内に側面から入射させ、この光をケース３の底面に配設した反射シート８による反射によって導光板７の上部に出射させ、表示シート１７を照射するものである。
【００２３】
次に図７に示した本考案の第２実施形態について説明する。
本実施形態において前記第１実施形態と相違する点は、本実施形態において導光板７の厚味を磁石保持枠９の内部まで入り込むようにした点にある。そしてまた、導光板７の上面と磁石保持枠９の上面とは面一としている。尚、その他の構成並びに作用は前記第１実施形態と同様であるから、同一の部材には同一の符号を付して詳細な説明は省略する。
【図面の簡単な説明】
【００２４】
【図１】本考案の第１実施形態に係るディスプレイ装置の正面図である。
【図２】ディスプレイ本体の分解斜視図である。
【図３】部分拡大断面図である。
【図４】本考案の使用方法の説明図であり、挟着シートをめくって表示シートを挟み込む状態を示すものである。
【図５】本考案の使用方法の説明図であり、ディスプレイ装置を壁面に設置する状態を示すものである。
【図６】本考案の使用方法の説明図であり、ＬＥＤに通電した状態を示すものである。
【図７】本考案の第２実施形態に係るディスプレイ装置の部分拡大断面図である。
【符号の説明】
【００２５】
１  ディスプレイ装置
２  ディスプレイ本体
３  ケース
３ａ  ケースの側壁
５、５、５・・・  ＬＥＤ
６  基板
７  導光板
８  反射シート
９  磁石保持枠
１０、１０、１０・・・  磁石
１１  透明シート
１２、１２  吊環
１３、１３  フック金具
１５  挟着シート
１６  磁性体
１７  表示シート
【図１】
0003144355.tif 000003
【図２】
0003144355.tif 000004
【図３】
0003144355.tif 000005
【図４】
0003144355.tif 000006
【図５】
0003144355.tif 000007
【図６】
0003144355.tif 000008
【図７】
0003144355.tif 000009
【手続補正書】
【提出日】平成20年6月16日(2008.6.16)
【手続補正１】
【補正対象書類名】図面
【補正対象項目名】図４
【補正方法】変更
【補正の内容】
【図４】
0003144355.tif 000010
【手続補正２】
【補正対象書類名】図面
【補正対象項目名】図５
【補正方法】変更
【補正の内容】
【図５】
0003144355.tif 000011
【手続補正３】
【補正対象書類名】図面
【補正対象項目名】図６
【補正方法】変更
【補正の内容】
【図６】
0003144355.tif 000012